(57)【要約】【課題】遊技機から投出することのできない数量の遊技媒体がある場合でも投出処理に対応でき、なおかつ設置性に優れた遊技媒体投出処理装置を提供する。【解決手段】遊技機に対応して設けられ、パチンコ玉の投出処理を行う遊技媒体貸出処理装置12である。パチンコ玉の投出処理時に、遊技機から投出処理できない数量分のパチンコ玉を投出する投出手段を備える。投出手段によって投出されたパチンコ玉を貯留する貯留部33を備える。【選択図】図１
2014138722.tif 000002
【特許請求の範囲】
【請求項１】
遊技機に対応して設けられ、遊技媒体の投出処理を行う遊技媒体投出処理装置であって、
遊技媒体の投出処理時に、前記遊技機から投出処理できない数量分の遊技媒体を投出する投出手段と、
前記投出手段によって投出された遊技媒体を貯留する貯留部と
を具備していることを特徴とする遊技媒体投出処理装置。
【請求項２】
遊技媒体を受け入れて計数する遊技媒体計数装置と、前記投出手段および前記貯留部を有する遊技媒体投出装置と、のいずれか一方が収容される共通の収容部を具備している
ことを特徴とする請求項１記載の遊技媒体投出処理装置。
【請求項３】
遊技媒体を計数する計数制御部を有し、
遊技媒体を受け入れて計数する遊技媒体計数装置を備える場合には前記計数制御部の計数機能を有効とし、前記投出手段および前記貯留部を有する遊技媒体投出装置を備える場合には前記計数制御部の計数機能を無効とする制御手段を具備している
ことを特徴とする請求項１記載の遊技媒体投出処理装置。
【請求項４】
投出する遊技媒体のうち、前記遊技機から投出可能な数量の遊技媒体の投出を前記遊技機に指示し、前記遊技機から投出不可能な数量分の遊技媒体を前記投出手段によって投出させる制御手段を具備している
ことを特徴とする請求項１または２記載の遊技媒体投出処理装置。
【請求項５】
遊技媒体の投出処理時に、投出する遊技媒体のうち、前記遊技機から投出可能な単位数に満たない数量分を蓄積記憶する記憶手段を有し、複数回の投出処理によって前記記憶手段に蓄積された数量が前記遊技機から投出可能な単位数に達したことを条件に、遊技媒体の投出を前記遊技機に指示する制御手段を具備している
ことを特徴とする請求項１または２記載の遊技媒体投出処理装置。
【請求項６】
前記記憶手段による遊技媒体の数量の蓄積を行うか否かの切替手段を有している
ことを特徴とする請求項５記載の遊技媒体投出処理装置。
【請求項７】
遊技媒体の投出処理時に、前記遊技機から投出処理できない数量分であることを報知する報知手段を具備している
ことを特徴とする請求項１ないし６いずれか一記載の遊技媒体投出処理装置。
【請求項８】
前記貯留部は、前記遊技媒体の流下方向に沿って設けられ、異物を前記貯留部から排除するための異物排除部を有する
ことを特徴とする請求項１ないし７いずれか一記載の遊技媒体投出処理装置。
【請求項９】
遊技機に対応して遊技媒体の投出処理を行う遊技媒体投出処理手段を設け、
前記遊技媒体投出処理手段は、
遊技媒体の投出処理時に、前記遊技機から投出処理できない数量分の遊技媒体を投出する投出手段と、
前記投出手段によって投出された遊技媒体を貯留する貯留部と
を具備していることを特徴とする遊技媒体投出システム。
【発明の詳細な説明】
【技術分野】
【０００１】
本発明は、遊技媒体の投出処理を行う遊技媒体投出処理装置および遊技媒体投出システムに関する。
【背景技術】
【０００２】
従来、遊技媒体貸出処理装置は、パチンコ台やスロットマシンなどの遊技台毎に隣接して配設され、パチンコ玉やメダルなどの遊技媒体の貸出処理を行う。
【０００３】
この遊技媒体貸出処理装置では、登録されている会員が所持する会員カードや会員以外の遊技客にも使用可能な一般カードによる処理あるいは現金による処理によって所定の貸出操作を受け付けることにより、遊技機に遊技媒体の貸し出しを指示するものがある。これにより、遊技機では、遊技媒体を遊技機の上受皿に投出している。
【０００４】
また、遊技媒体貸出処理装置には、遊技媒体を遊技機の上受皿に投出する投出ノズルを備えたノズル式遊技媒体貸出処理装置がある。
【０００５】
ところで、遊技媒体の貸し出しに対応している遊技機では、予め決まっている貸出単位数ずつ（例えば２５個ずつ）遊技媒体を貸し出すように構成されている。
【０００６】
そのため、遊技媒体の貸し出しに際し、消費税の税率を考慮して貸出金額に対して貸し出す遊技媒体の数を変更（減少）することによって消費税を遊技客から徴収する場合、遊技機から貸出可能な貸出単位数に満たない端数が生じる。この場合、遊技機から端数分の遊技媒体を投出することができない問題が生じる。
【０００７】
あるいは、遊技客が前回の遊技において、遊技終了時に遊技媒体を獲得した状態にあり、獲得した遊技媒体を関連付けた媒体（例えば会員カードあるいは遊技媒体数が関連付けられた一般カード）を所持している場合、次回の遊技時にその獲得した遊技媒体を用いて遊技を行うことができる再プレイ機能を利用することができるが、この場合にも、再利用する遊技媒体の数によっては、遊技機から貸出可能な貸出単位数に満たない端数が生じることがあり、遊技機から端数分の遊技媒体を投出することができない問題が生じる。
【０００８】
そこで、遊技媒体の貸出時に端数が生じる場合には、貸し出す遊技媒体の全数をノズル式遊技媒体貸出処理装置の投出ノズルから遊技機の上受皿に投出するものがある（例えば、特許文献１参照。）。これにより、貸し出す遊技媒体の数量に遊技機から貸出可能な貸出単位数に満たない端数が生じる場合でも、その端数分の遊技媒体の投出に対応することが可能となっている。
【先行技術文献】
【特許文献】
【０００９】
【特許文献１】特開２００７−１９０１３７号公報
【発明の概要】
【発明が解決しようとする課題】
【００１０】
しかし、これらの従来の技術では、遊技機から投出する遊技媒体に、遊技機から投出可能な貸出単位数に満たない端数が生じる場合、投出ノズルを有する遊技媒体貸出処理装置を用いなければならない問題がある。投出ノズルを遊技媒体貸出処理装置に設けた場合、遊技媒体を遊技機の貯留部に投入する必要があることから、遊技機の貯留部に対応する高さ位置に投出ノズルを設ける必要がある。しかしながら、遊技機の貯留部の位置および構造は、多種多様である遊技機の機種ごとに異なっており、これらの位置および構造にすべて対応するのは困難である。また、遊技機の貯留部に対応する位置に投出ノズルのような突出した構造を設けた場合、遊技機の扉あるいは遊技機枠を開放する際に干渉し、遊技機の故障への店員の対処作業や、メンテナンス作業の障害になる可能性がある。さらに、遊技機側の構造との干渉により破損する可能性が大きく、遊技媒体貸出処理装置の耐久性としても問題がある。
【００１１】
本発明は、このような点に鑑みなされたもので、遊技機から投出することのできない数量の遊技媒体がある場合でも投出処理に対応でき、なおかつ設置性に優れた遊技媒体投出処理装置および遊技媒体投出システムを提供することを目的とする。
【課題を解決するための手段】
【００１２】
請求項１記載の遊技媒体投出処理装置は、遊技機に対応して設けられ、遊技媒体の投出処理を行う遊技媒体投出処理装置であって、遊技媒体の投出処理時に、前記遊技機から投出処理できない数量分の遊技媒体を投出する投出手段と、前記投出手段によって投出された遊技媒体を貯留する貯留部とを具備しているものである。
【００１３】
請求項２記載の遊技媒体投出処理装置は、請求項１記載の遊技媒体投出処理装置において、遊技媒体を受け入れて計数する遊技媒体計数装置と、前記投出手段および前記貯留部を有する遊技媒体投出装置と、のいずれか一方が収容される共通の収容部を具備しているものである。
【００１４】
請求項３記載の遊技媒体投出処理装置は、請求項１記載の遊技媒体投出処理装置において、遊技媒体を計数する計数制御部を有し、遊技媒体を受け入れて計数する遊技媒体計数装置を備える場合には前記計数制御部の計数機能を有効とし、前記投出手段および前記貯留部を有する遊技媒体投出装置を備える場合には前記計数制御部の計数機能を無効とする制御手段を具備しているものである。
【００１５】
請求項４記載の遊技媒体投出処理装置は、請求項１または２記載の遊技媒体投出処理装置において、投出する遊技媒体のうち、前記遊技機から投出可能な数量の遊技媒体の投出を前記遊技機に指示し、前記遊技機から投出不可能な数量分の遊技媒体を前記投出手段によって投出させる制御手段を具備しているものである。
【００１６】
請求項５記載の遊技媒体投出処理装置は、請求項１または２記載の遊技媒体投出処理装置において、遊技媒体の投出処理時に、投出する遊技媒体のうち、前記遊技機から投出可能な単位数に満たない数量分を蓄積記憶する記憶手段を有し、複数回の投出処理によって前記記憶手段に蓄積された数量が前記遊技機から投出可能な単位数に達したことを条件に、遊技媒体の投出を前記遊技機に指示する制御手段を具備しているものである。
【００１７】
請求項６記載の遊技媒体投出処理装置は、請求項５記載の遊技媒体投出処理装置において、前記記憶手段による遊技媒体の数量の蓄積を行うか否かの切替手段を有しているものである。
【００１８】
請求項７記載の遊技媒体投出処理装置は、請求項１ないし６いずれか一記載の遊技媒体投出処理装置において、遊技媒体の投出処理時に、前記遊技機から投出処理できない数量分であることを報知する報知手段を具備しているものである。
【００１９】
請求項８記載の遊技媒体投出処理装置は、請求項１ないし７いずれか一記載の遊技媒体投出処理装置において、前記貯留部は、前記遊技媒体の流下方向に沿って設けられ、異物を前記貯留部から排除するための異物排除部を有するものである。
【００２０】
請求項９記載の遊技媒体投出システムは、遊技機に対応して遊技媒体の投出処理を行う遊技媒体投出処理手段を設け、前記遊技媒体投出処理手段は、遊技媒体の投出処理時に、前記遊技機から投出処理できない数量分の遊技媒体を投出する投出手段と、前記投出手段によって投出された遊技媒体を貯留する貯留部とを具備しているものである。
【発明の効果】
【００２１】
請求項１記載の遊技媒体投出処理装置によれば、遊技媒体を投出する投出手段とともに、投出された遊技媒体を貯留する貯留部を備えるため、ノズル式遊技媒体貸出処理装置でなくても、遊技機から投出処理できない数量分の遊技媒体を投出することができる。
【００２２】
請求項２記載の遊技媒体投出処理装置によれば、請求項１記載の遊技媒体投出処理装置の効果に加えて、共通の収容部を備えることにより、遊技媒体を受け入れて計数する遊技媒体計数装置と、投出手段および貯留部を有する遊技媒体投出装置と、のいずれか一方を選択して収容することができる。
【００２３】
請求項３記載の遊技媒体投出処理装置によれば、請求項１記載の遊技媒体投出処理装置の効果に加えて、遊技媒体を受け入れて計数する遊技媒体計数装置を備える場合には計数制御部の計数機能を有効とし、投出手段および貯留部を有する遊技媒体投出装置を備える場合には計数制御部の計数機能を無効とすることにより、遊技媒体計数装置と遊技媒体投出装置とのいずれを備えた場合にも対応できる。
【００２４】
請求項４記載の遊技媒体投出処理装置によれば、請求項１または２記載の遊技媒体投出処理装置の効果に加えて、投出する遊技媒体のうち、遊技機から投出可能な数量の遊技媒体の投出を遊技機に指示し、遊技機から投出不可能な数量分の遊技媒体を投出手段によって投出させることにより、遊技客が遊技機から投出不可能な数量分の遊技媒体を受け取ることができる。
【００２５】
請求項５記載の遊技媒体投出処理装置によれば、請求項１または２記載の遊技媒体投出処理装置の効果に加えて、遊技媒体の投出処理時に、投出する遊技媒体のうち、遊技機から投出可能な単位数に満たない数量分を記憶手段で蓄積記憶し、複数回の投出処理によって記憶手段に蓄積された数量が遊技機から投出可能な単位数に達したことを条件に、遊技媒体の投出を遊技機に指示することにより、貯留部に遊技媒体を投出する回数を少なくできる。
【００２６】
請求項６記載の遊技媒体投出処理装置によれば、請求項５記載の遊技媒体投出処理装置の効果に加えて、切替手段により、記憶手段による遊技媒体の数量の蓄積を行うか否かを切り替えることができる。
【００２７】
請求項７記載の遊技媒体投出処理装置によれば、請求項１ないし６いずれか一記載の遊技媒体投出処理装置の効果に加えて、遊技媒体の投出処理時に、遊技機から投出処理できない数量分であることを報知手段で報知することにより、貯留部に投出された遊技媒体の取り忘れを防止できる。
【００２８】
請求項８記載の遊技媒体投出処理装置によれば、請求項１ないし７いずれか一記載の遊技媒体投出処理装置の効果に加えて、異物排除部によって異物を貯留部から排除することができる。
【００２９】
請求項９記載の遊技媒体投出システムによれば、遊技媒体投出処理手段が、遊技媒体を投出する投出手段とともに、投出された遊技媒体を貯留する貯留部を備えるため、遊技機から投出理できない数量分の遊技媒体を投出することができる。
【図面の簡単な説明】
【００３０】
【図１】本発明の第１の実施の形態を示す遊技媒体投出装置を備えた遊技媒体貸出処理装置の斜視図である。
【図２】同上遊技媒体投出装置の本体ユニットの内部機構を示す斜視図である。
【図３】同上遊技媒体投出装置を備えた遊技媒体貸出処理装置の運用状態の正面図である。
【図４】同上遊技媒体投出装置を備えた遊技媒体貸出処理装置の運用状態の平面図である。
【図５】同上遊技媒体貸出処理装置を用いた遊技システムのブロック図である。
【図６】同上遊技システムにおけるカード処理のフローチャートである。
【図７】同上遊技媒体貸出処理装置による貸出単位毎投出制御のフローチャートである。
【図８】本発明の第２の実施の形態を示す遊技媒体投出装置を備えた遊技媒体貸出処理装置の斜視図である。
【図９】同上遊技媒体投出装置の本体ユニットの内部機構を示す斜視図である。
【図１０】同上遊技媒体投出装置を備えた遊技媒体貸出処理装置の運用状態の正面図である。
【図１１】本発明の第４の実施の形態を示す遊技媒体投出装置の本体ユニットの内部機構を示す斜視図である。
【図１２】同上遊技媒体計数装置の本体ユニットの内部機構を示す斜視図である。
【図１３】同上本体ユニットの正面図である。
【図１４】同上受皿ユニットの斜視図である。
【図１５】同上各台計数機ユニットの斜視図である。
【図１６】本発明の第５の実施の形態を示す遊技媒体投出装置を備えた遊技媒体貸出処理装置の斜視図である。
【図１７】本発明の第６の実施の形態を示す遊技媒体投出装置を備えた遊技媒体貸出処理装置の斜視図である。
【図１８】同上遊技媒体投出装置の投出ユニットの分解斜視図である。
【図１９】同上投出ユニットにおける図２０Ａ−Ａ視の断面図である。
【図２０】同上投出ユニットにおける遊技媒体（パチンコ玉）整列動作を説明する通路部材の平面図である。
【図２１】同上図２０に続く遊技媒体（パチンコ玉）整列動作を説明する通路部材の平面図である。
【図２２】同上図２１に続く遊技媒体（パチンコ玉）整列動作を説明する通路部材の平面図である。
【発明を実施するための形態】
【００３１】
（第１の実施の形態）
以下、本発明の第１の実施の形態を、図１ないし図７を参照して説明する。
【００３２】
図３および図４に示すように、遊技施設の遊技島10に、複数台の遊技機11（図中には１台のみ示す）が設置されるとともに、各遊技機11の一側である左側に遊技媒体投出処理装置および遊技媒体投出処理手段としての遊技媒体貸出処理装置12がそれぞれ対応して設置されている。
【００３３】
遊技機11は、例えばパチンコ台であり、遊技媒体としてのパチンコ玉を用いて遊技する遊技機本体、貸し出すパチンコ玉および遊技（以下、遊技をプレイとも呼ぶ）によって獲得したパチンコ玉を所定の貸出単位（以下、例えば２５個単位とする）ずつ投出する遊技媒体投出機構、この遊技媒体投出機構から投出されるパチンコ玉を受け入れるとともに遊技機本体内に送り込む上受皿およびこの上受皿が満杯の場合にパチンコ玉を受け入れる下受皿、および遊技機本体におけるパチンコ玉の発射をコントロールする操作ハンドル11aなどを備えている。
【００３４】
図１に示すように、遊技媒体貸出処理装置12は、遊技機11にパチンコ玉を投出するためのノズルを備えないノズルレス式遊技媒体貸出処理装置であり、遊技島に固定される枠体15、およびこの枠体15に対して前側から着脱可能に取り付けられる装置本体16を備えている。装置本体16の下部には、遊技媒体投出装置17が設けられている。図１に示す遊技媒体貸出処理装置12は、遊技媒体投出装置17を備えた遊技媒体貸出処理装置12aである。
【００３５】
装置本体16の前面には、上部側から順に状態表示ランプ19、紙幣投入口20、情報表示部21、入力操作部22、およびカード挿入口23などが配設されている。また、装置本体16の下部には、遊技媒体投出装置17を収容する収容部24が設けられている。
【００３６】
状態表示ランプ19は、遊技媒体貸出処理装置12や対応する遊技機11の状態を係員に報知するためのものである。
【００３７】
紙幣投入口20には、パチンコ玉の貸し出しを現金で受け付ける場合に、遊技客によって紙幣が投入される。紙幣投入口20の後側の装置本体16内には、投入された紙幣を識別し、正常な紙幣を遊技島10に配設されている紙幣搬送機構に送り出す紙幣処理装置が配設されている。遊技島10の紙幣搬送機構では、紙幣処理装置から送り出された紙幣を島端の紙幣回収部に回収するように構成されている。
【００３８】
情報表示部21は、例えば液晶表示器で構成されており、遊技時に遊技客に対して貸出可能な玉数などの情報を表示したり、エラー発生時に係員に対してエラー情報を表示する。そして、この情報表示部21は、遊技媒体投出装置17からのパチンコ玉の投出処理時に遊技機11から投出処理できない数量分であることを報知、すなわちパチンコ玉の貸出処理時にパチンコ玉の端数があることを報知する報知手段25として構成されている。
【００３９】
入力操作部22は、カードによるパチンコ玉の貸出時に遊技客によって暗証番号の入力やパチンコ玉の貸し出し操作がなされる。そして、この入力操作部22は、後述する毎回投出制御と貸出単位投出制御とを選択設定するための設定手段26として構成されている。
【００４０】
カード挿入口23には、遊技施設の管理装置に会員として登録されている会員カードや会員登録されていないが遊技施設の管理装置に有価価値が管理されている一般カードなどが、遊技客によって挿入される。カード挿入口23の後側の装置本体16内には、挿入されたカードの情報を読み書きするカード処理装置27（図２参照）が配設されている。
【００４１】
収容部24には、ユニット化された遊技媒体投出装置17を収容できる大きさに形成されている。
【００４２】
また、図１および図２に示すように、遊技媒体投出装置17は、収容部24に収容される本体ユニット29、この本体ユニット29内に配置される投出手段30、および本体ユニット29の前部に設けられた受皿ユニット31を備えている。受皿ユニット31には、本体ユニット29の前面に取り付けられた前面部32、およびこの前面部32から前方に突出して設けられた貯留部33を備えている。
【００４３】
本体ユニット29の背面には、遊技島10のパチンコ玉供給部からパチンコ玉が供給される供給通路34が接続されている。
【００４４】
投出手段30は、遊技機11で貸出処理できない端数分のパチンコ玉を投出するものであり、供給通路34から供給されるパチンコ玉を貯留部33に投出する投出通路35を備えている。投出通路35は、後部が供給通路34に接続され、前部が貯留部33に接続されており、後部から前部へ向けて下降する傾斜によって供給通路34から供給されるパチンコ玉を１列整列状態で前方へ送るように構成されている。投出通路35には、モータ36によって回転駆動されるカウントホイール37が配設されているとともに、カウントホイール37の前後にセンサ38，39が配設されている。カウントホイール37は、回転停止状態で投出通路35内のパチンコ玉を係止し、回転時に投出通路35内のパチンコ玉を１個ずつ貯留部33へ投出する。センサ38はカウントホイール37の手前でパチンコ玉の有無を検知し、センサ39はカウントホイール37の直後で投出したパチンコ玉を検知する。
【００４５】
貯留部33は、前面部32と一体に形成された上方に開口する貯留皿であり、投出通路35から投出されるパチンコ玉を受け入れて貯留するとともに、遊技客によるパチンコ玉の取り出しを可能とする。図１の符号33aは投出通路35の投出口である。
【００４６】
前面部32には、貯留部33に端数のパチンコ玉が投出された場合に点灯表示するランプ等の投出表示部40が配設されている。投出表示部40は、光源としてのＬＥＤ、およびＬＥＤの光が透過するレンズ等で構成されている。そして、投出表示部40は、パチンコ玉の貸出処理時に、パチンコ玉の端数があることを報知する報知手段25として構成されている。
【００４７】
図３および図４に示すように、貯留部33の大きさ、形状および配置は、遊技機11の下受皿の下方に玉箱42を配置する場合に操作ハンドル11aを操作可能な位置に配置した玉箱42と干渉しないこと、遊技機11の前面パネルを開閉するヒンジ43と干渉しないこと、および玉箱42を載せる遊技島10の受台44に灰皿45がある場合にその灰皿45を使用できるようにすること、を満たすように構成されている。具体的には、上記の効果を奏するために、貯留部33の遊技媒体貸出処理装置12から遊技機11方向への幅方向の突出寸法は、５０ｍｍ±２０ｍｍ程度に構成されることが好ましい。また、遊技媒体貸出処理装置12から遊技客側への前方への突出寸法は、９０ｍｍ±２０ｍｍ程度に構成されることが好ましい。さらに、遊技媒体貸出処理装置12の最下部からの貯留部33の高さは、概ね７０ｍｍ以下に構成されることで、遊技機11の扉の底面高さよりも低くなり、遊技機11の扉開閉時に貯留部33と干渉することがない。さらに、貯留部33の内壁の一部は、遊技機扉のヒンジ43との干渉を避けるために、一部に切欠部33bが設けられる（図１および図２参照）。なお、灰皿45の下方には遊技島10の吸殻搬送機構が配置され、この吸殻搬送機構によって遊技島10の島端に吸殻を回収するように構成されている。
【００４８】
また、図５は、遊技媒体貸出処理装置12を用いた遊技システムのブロック図を示す。
【００４９】
遊技店には、複数台の遊技機11および遊技媒体貸出処理装置12、コンソール50、会員システム51、デビット券売機52、精算機53、島コントローラ54などが設けられている。そして、遊技媒体貸出処理装置12を主体として遊技媒体投出システムが構成されている。
【００５０】
コンソール50は、カード管理、会員の管理、売上管理などを統括して行う管理装置であり、遊技店毎の管理を行うセンタ56と通信可能としている。
【００５１】
会員システム51は、会員登録された各会員の情報、各会員に発行した会員カードの情報、貯玉残高情報などを関連付けて管理し、コンソール50を介して各遊技媒体貸出処理装置12、デビット券売機52および精算機53などと情報の送受信をする。この会員システム51には、カードを管理するカード管理ターミナルコンピュータ、および会員情報や貯玉残高情報などを管理する会員管理ターミナルコンピュータなどが含まれている。
【００５２】
デビット券売機52は、デビットカード（銀行のキャッシュカード）を受け入れて一般カードの発行あるいは会員カードへの有価価値の価値付けを行う。
【００５３】
精算機53は、一般カードあるいは会員カードに対応する残高分を金額に換算して金額分の現金を精算金として投出する。
【００５４】
島コントローラ54は、遊技島10毎に設置され、複数台の遊技機11および遊技媒体貸出処理装置12とコンソール50との間で送受信される各種情報の中継を行う。
【００５５】
各遊技媒体貸出処理装置12は、対応する遊技機11、およびホールコンピュータ55と通信可能に接続されている。
【００５６】
また、遊技媒体貸出処理装置12は、遊技媒体貸出処理装置12を制御する制御手段57、および情報を記憶する記憶手段58を備えている。
【００５７】
この遊技媒体貸出処理装置12は、所定数のパチンコ玉の貸出処理時に、所定数のパチンコ玉のうち、予め定められている２５個単位毎に遊技機11から貸出可能な数量のパチンコ玉の貸し出しを遊技機11に指示し、遊技機11から貸出可能な２５個単位に満たない端数分のパチンコ玉を投出手段30によって投出させる毎回投出制御の機能（以下、第１の投出制御と称する）を備えている。
【００５８】
また、この遊技媒体貸出処理装置12は、所定数のパチンコ玉の貸出処理時に、所定数のパチンコ玉のうち、予め定められている２５個単位毎に遊技機11から貸出可能な数量のパチンコ玉の貸し出しを遊技機11に指示し、遊技機11から貸出可能な２５個単位に満たない端数分を未払い数として記憶手段58に記憶し、複数回の貸出処理によって未払い数の合計が遊技機11からの貸出投出可能な２５個単位に達する度にその２５個単位分のパチンコ玉の貸し出しを遊技機11に指示し、貸出処理の終了時に未払い数分のパチンコ玉を投出手段30によって投出させる貸出単位毎投出制御の機能（以下、第２の投出制御と称する）を備えている。
【００５９】
これら第１の投出制御と第２の投出制御とは切替手段による設定によっていずれか一方が選択設定され、制御手段57では選択設定された投出制御で制御する。この切替手段による選択設定は、従業員が所持するリモコン（図示せず）による操作、あるいは遊技媒体貸出処理装置12の内部のスイッチ（図示せず）による操作、あるいはコンソール50などの上位装置から遊技媒体貸出処理装置12へ向けた指示などが含まれる。
【００６０】
パチンコ玉の貸出処理時に、端数がある場合には、報知手段25で報知させる機能を備えている。すなわち、情報表示部21で端数があることおよび端数の投出を行うことを表示させたり、投出表示部40で貯留部33に端数分のパチンコ玉が投出されたことを表示させる。
【００６１】
次に、遊技媒体貸出処理装置12の動作を説明する。
【００６２】
まず、遊技媒体貸出処理装置12の概略動作について説明する。投出制御としては、第１の投出制御が設定されている場合について説明する。
【００６３】
遊技客が遊技媒体貸出処理装置12に紙幣などの有価価値またはカードを投入し、遊技機11の貸出ボタンを押すことにより、パチンコ玉の貸出処理を行う。
【００６４】
カードでの貸出処理時には、情報表示部21および遊技機11でカードに対応してコンソール50や会員システム51で管理されている有価価値の残高を表示し、パチンコ玉の貸し出しに応じて残高を減算表示するとともにコンソール50や会員システム51の管理情報を更新する。
【００６５】
遊技客が遊技機11でパチンコ玉を獲得した状態にある場合、つまり、受け入れたカードにパチンコ玉数（計数玉あるいは貯玉）が関連付けられている場合には、遊技客は入力操作部22の投出操作ボタンを操作することにより、その玉数分のパチンコ玉の投出を受けることができる。
【００６６】
また、遊技客は、プレイ終了後に、返却されたカードを他の遊技機11に挿入してパチンコ玉の貸し出しを受けてプレイしたり、店内の精算機53にて精算することができる。
【００６７】
会員カードの場合のみ、返却時に計数したパチンコ玉の計数値を会員システム51で貯玉残高として管理し、次回のプレイ時に貯玉残高のパチンコ玉を投出して再プレイを行うことができる。
【００６８】
次に、遊技媒体貸出時のカードシステムの動作を、図６のフローチャートを参照して説明する。
【００６９】
図６のフローチャートには、遊技媒体貸出処理装置12と、会員システム51のカード管理ターミナルコンピュータと会員管理ターミナルコンピュータとを処理の流れを示す。
【００７０】
会員カードを遊技媒体貸出処理装置12のカード処理装置27に挿入すると（ステップ１）、カード処理装置27でカードから会員コードを読み出し（ステップ２）、会員コードをカード管理ターミナルコントローラに送信する（ステップ３）。なお、カード管理ターミナルコントローラに送信するのは、会員コードのみに限らず、カード挿入通知や、遊技媒体貸出処理装置12の台番号なども含まれる。
【００７１】
カード管理ターミナルコントローラは、受信した会員コードを会員ターミナルコントローラに送信する（ステップ４）。
【００７２】
会員ターミナルコントローラは、会員コードを受信し、その会員コードに対応する会員カードが有効か判断する（ステップ５）。有効でなければ（ステップ５のＮＯ）、遊技媒体貸出処理装置12にカード排出指令を出して返却させるか、カードを内部に保持したまま遊技媒体貸出処理装置12をエラーダウンさせる（ステップ６）。有効であれば（ステップ５のＹＥＳ）、会員コードに対応して管理している有価価値および貯玉数の残高をカード管理ターミナルコントローラに送信する（ステップ７）。この会員カードの有効／無効の設定は、会員システム51にて会員コードと対応付けられてフラグ管理されており、例えば、会員カードの紛失が予め届けられているとき、あるいは会員カードを用いた貯玉の使用時において認証情報（例えば暗証番号）の認証が所定回数（例えば３回）失敗した場合に無効に設定されている。
【００７３】
カード管理ターミナルコントローラは、受信した有価価値および貯玉数の残高を遊技媒体貸出処理装置12に送信する（ステップ８）。
【００７４】
遊技媒体貸出処理装置12は、情報表示部21で残高を識別可能に表示するとともに遊技機11に残高を識別するための表示を行わせる（ステップ９）。
【００７５】
そして、遊技客が遊技機11で貸出操作をすると（ステップ10）、貸出に応じた有価価値分の減算要求をカード管理ターミナルコンピュータに送信する（ステップ11）。遊技媒体貸出処理装置12には、予め１回の貸出操作によって残高を遊技媒体の貸出に使用する単位（以下、「貸出単位」という）が設定されている。遊技客から消費税を徴収しない設定となっている場合、パチンコ玉の貸出単価が４円であれば、この貸出単位は、１回あたり（５００円／１２５玉）と設定されている。一方で、遊技客から消費税（例えば５％）を徴収する設定とした場合、パチンコ玉の貸出単価が４円であれば、１回あたりの貸出単位金額５００円のうち、５００×（１００／１０５）≒４７６円が本体価格（遊技媒体の価格）、残りの２４円が消費税の価格（消費税相当の価格）とされ、２４円に相当する玉数、この場合は６玉が、本来の貸出単位玉数１２５玉から減算される。このことから、この場合の貸出単位は１回あたり（５００円／１１９玉）となる。以下の処理では、この貸出単位が設定されている場合について説明する。
【００７６】
カードターミナルコントローラは、減算要求に応じてカードに関連付けられている金額または所定の金額を単位とした金額単位数から、貸出単位金額および／または金額単位数を減算処理し（ステップ12）、減算完了信号を遊技媒体貸出処理装置12に送信する。
【００７７】
遊技媒体貸出処理装置12は、設定された貸出単位に応じて、遊技機11に投出指令信号を出す回数と、自ら投出を行うべき遊技媒体数を記憶している。例えば、貸出単位として、１回あたり（５００円／１１９玉）と設定されている場合、遊技機11から投出する２５玉の倍数である１００玉と、残りの１９玉を区分する形で、１回の投出あたり（遊技機11への投出信号送信回数：４回（１００玉）、投出個数：１９玉）という形のデータを記憶している。減算完了信号を受信すると、遊技機11に対してパチンコ玉の貸出処理を指令する信号を送信するとともに、端数については投出手段30によって投出を行う（ステップ13）。
【００７８】
このときの処理を１回あたりの貸出単位が（５００円／１１９玉）である場合について説明する。まず、情報表示部21に貸し出される玉数として「１１９」を表示する。次に、遊技機11に対して投出信号を１回送信する。遊技機11から貸出了解信号が返ってくると、１回の貸出信号に対応する玉数である２５を１１９から減算し、情報表示部21に「９４」を表示する。この１連の流れは投出信号を４回送信するまで繰り返す。次に、情報表示部21に「１９」が表示されている状態で、貯留部33に玉が投出されることを情報表示部21に追加表示し、投出手段30のカウントホイール37を駆動して、貯留部33へのパチンコ玉の投出を行う。センサ39がパチンコ玉を１個検出するたびに、設定された投出玉数「１９玉」から１を減算するとともに、情報表示部21に表示された玉数表示「１９」を所定玉数ずつ減算表示する。センサ39がパチンコ玉を１９個検出すれば、カウントホイール37の駆動を停止し、投出を完了する。
【００７９】
また、貯留部33へのパチンコ玉の投出を行っている間、投出表示部40を点灯あるいは点滅して貯留部33への投出が行われている旨を表示する。この投出表示部40による貯留部33への投出が行われている旨の表示は、貸出によるパチンコ玉が投出されている場合と、後述する貯遊技媒体の再プレイによるパチンコ玉が投出されている場合とで態様（色等）を異ならせて行われる。これらの処理により、パチンコ玉の貸出処理を行う。
【００８０】
なお、ここでは、遊技機11から投出可能な玉数（２５玉単位）の投出処理を先行して行い、投出不可能な端数の遊技媒体貸出処理装置12からの投出を後に行う例を示したが、本発明はこれに限らず、まず遊技媒体貸出処理装置12からの投出を先に行い、遊技機11からの投出処理を同時または後に行っても良い。さらに、ここでは、貸出単位について、予め遊技機11への信号送信回数と遊技媒体貸出処理装置12が投出する玉数とが記憶されている例を示したが、貸出単位の玉数のみが予め設定されており、遊技媒体貸出処理装置12にて投出を行うたびに、貸出単位の玉数について遊技機11に信号を送る回数と自ら投出を行う玉数を特定して投出を行う構成でもよい。
【００８１】
また、投出手段30による投出を行うにあたり、貯留部33が満杯である場合には、貯留部33のパチンコ玉が取り除かれるまで投出が保留される。貯留部33の満杯は、貯留部33への投出口33a付近にパチンコ玉が存在していることで、カウントホイール37の投出（回転）動作に対して抵抗が生じることにより検出される。
【００８２】
また、遊技客が遊技機11でカードの返却操作を行うと（ステップ14）、残高通知をカード管理ターミナルコンピュータに送信し（ステップ15）、カードを返却する（ステップ16）。なお、カード管理ターミナルコンピュータに送信するのは、残高通知のみに限らず、返却通知も含まれる。
【００８３】
カード管理ターミナルコントローラは、受信した残高通知を会員管理ターミナルコンピュータに送信する（ステップ17）。
【００８４】
次に、貯玉（貯遊技媒体）の再プレイ時のカードシステムの動作を、図６のフローチャートを参照して説明する。
【００８５】
遊技客が遊技媒体貸出処理装置12で再プレイを指示すると（ステップ18）、情報表示部21で暗証番号の入力を要求する（ステップ19）。
【００８６】
遊技客が入力操作部22で暗証番号を入力すると、入力された暗証番号を認証する（ステップ20）。暗証番号が認証されなければ（ステップ20のＮＯ）、再プレイを不可とする（ステップ21）。
【００８７】
暗証番号が認証されれば（ステップ20のＹＥＳ）、再プレイ指示をカード管理ターミナルコンピュータに送信する（ステップ22）。
【００８８】
カード管理ターミナルコンピュータは、受信した再プレイ指示をカード管理ターミナルコンピュータに送信する（ステップ23）。
【００８９】
カード管理ターミナルコンピュータは、再プレイ指示の入力に応じて、会員コードに対応して管理している貯玉残高から再プレイ分の貯玉数を減算した貯玉残高を更新し（ステップ24）、貯玉残高の更新値をカード管理ターミナルコンピュータに送信する（ステップ25）。
【００９０】
カード管理ターミナルは、受信した貯玉残高の更新値を遊技媒体貸出処理装置12に送信する（ステップ26）。
【００９１】
遊技媒体貸出処理装置12は、貯玉残高の更新値を入力して貯玉値を減算し（ステップ27）、遊技機11に対して再プレイ分のパチンコ玉の投出処理を指令する（ステップ28）。これにより、遊技機11が再プレイ分のパチンコ玉を投出し、また、投出に端数が発生する場合には上述したように遊技媒体貸出処理装置12が投出制御する。
【００９２】
遊技媒体貸出処理装置12は、貯玉残高の更新値を入力して貯玉値を減算し（ステップ27）、再プレイ分のパチンコ玉の投出処理を行う（ステップ28）。具体的には、投出対象となるパチンコ玉数をまず取得する。次に、取得したパチンコ玉数のうち、遊技機11から投出可能な玉数（２５玉の倍数）を特定する。さらに、投出対象となる玉数から、遊技機11から投出可能な玉数を除いた玉数を特定する。このようにして、投出対象となる玉数について遊技機11から投出可能な玉数と投出不可能な玉数に区分する。次いで、遊技機11から投出可能な玉数について、１回の信号あたりの玉数で除した値を信号送信回数としてセットし、さらに遊技機11から投出不可能な玉数を自ら投出する玉数としてセットする。そして、貸出処理の場合と同様に、まずセットした信号送信回数の信号を遊技機11に送信した後、投出手段30を駆動して残りの玉数の投出を行う。これにより、遊技機11が再プレイ分のパチンコ玉を投出し、また、投出に端数が発生する場合には上述したように遊技媒体貸出処理装置12が投出制御する。なお、ここでは、遊技機11から投出可能な玉数（２５玉単位）の投出処理を先行して行い、投出不可能な端数の遊技媒体貸出処理装置12からの投出を後に行う例を示したが、本発明はこれに限らず、まず遊技媒体貸出処理装置12からの投出を先に行い、遊技機11からの投出処理を同時または後に行っても良い。
【００９３】
また、カードに持ち玉が関連付けられている場合には、遊技媒体貸出処理装置12にカードを受け付けたことに基づいて、コンソール50から持ち玉残高を遊技媒体貸出処理装置12に引き落とした上で、前述の貯玉の再プレイと同様の投出処理により、持ち玉の再プレイが可能である。
【００９４】
また、遊技客が遊技機11で返却操作すると（ステップ14）、残高通知をカード管理ターミナルコンピュータに送信し（ステップ15）、カードを返却する（ステップ16）。なお、カード管理ターミナルコンピュータに送信するのは、残高通知のみに限らず、返却通知も含まれる。
【００９５】
カード管理ターミナルコントローラは、受信した残高通知を会員管理ターミナルコンピュータに送信する（ステップ17）。
【００９６】
以上は会員カードによる処理について説明したが、図６の２点鎖線で囲まれた処理については一般カードでも同様に処理する。
【００９７】
次に、パチンコ玉の貸し出しに端数が生じる場合の遊技媒体貸出処理装置12による貸出処理について説明する。
【００９８】
遊技機11は、２５個単位でパチンコ玉を貸し出すように構成されている。そのため、パチンコ玉の貸し出しに課せられている消費税の税率が変更になると、貸出金額に対して貸し出すパチンコ玉の数が変更となって、遊技機11から貸出可能な２５個単位に満たない端数が生じることがある。または、会員カードでの遊技の場合、上述した再プレイを行う際に、再プレイに利用するパチンコ玉の数によっては、遊技機11から貸出可能な２５個単位に満たない端数が生じることがある。このような場合、遊技機11から端数分のパチンコ玉を投出することができないが、遊技媒体貸出処理装置12によって端数の投出を可能としている。
【００９９】
そして、パチンコ玉の貸出時に、毎回投出制御が選択されている場合には、貸し出す所定数のパチンコ玉のうち、２５個単位毎に遊技機11から貸出可能な数量のパチンコ玉の貸し出しを遊技機11に指示して、遊技機11から上受皿にパチンコ玉を投出させる。また、遊技機11から貸出可能な２５個単位に満たない端数が生じる場合には、その端数分のパチンコ玉を投出手段30から貯留部33に投出する。このとき、情報表示部21で端数があることを表示させたり、投出表示部40で貯留部33に端数分のパチンコ玉を投出したことを表示する。
【０１００】
この毎回投出制御の場合、遊技客は、貸出処理時毎に、貯留部33に投出された端数分のパチンコ玉を確認することができる。
【０１０１】
貯留部33に投出されたパチンコ玉は、貯留部33から取り出して遊技機11に投入してプレイに使用でき、また、端数分のパチンコ玉を玉箱42に入れて持ち玉とすることもできる。
【０１０２】
また、パチンコ玉の貸出時に、貸出単位毎投出制御（第２の投出制御）が選択設定されている場合の遊技媒体貸出処理装置12の動作を、図７のフローチャートを参照して説明する。
【０１０３】
遊技客によって遊技機11の貸出ボタンが操作されると（ステップ31）、貸出玉数が２５個単位で割り切れるか判断する。
【０１０４】
貸出玉数が２５個単位で割り切れて端数玉無しと判断した場合には（ステップ32）、貸出玉数分のパチンコ玉を遊技機11から投出させる（ステップ33）。
【０１０５】
貸出玉数が２５個単位で割り切れず、端数玉が発生すると判断した場合には（ステップ34）、未払い玉（端数玉）の有無を確認する（ステップ35）。
【０１０６】
未払い玉が無い場合（ステップ36）、今回の端数玉数を未払い玉数として記憶し（ステップ37）、２５個単位で割り切れる分のパチンコ玉を遊技機11から投出させる（ステップ33）。
【０１０７】
未払い玉が有る場合（ステップ38）、未払い玉数と今回の端数玉数を加算し（ステップ39）、合計端数玉数が２５個単位に達したか判断する。
【０１０８】
合計端数玉数が２５個単位未満であれば（ステップ40）、合計端数玉数を未払い玉数として再記憶し（ステップ41）、２５個単位で割り切れる分のパチンコ玉を遊技機11から投出させる（ステップ33）。
【０１０９】
合計端数玉数が２５個単位以上になれば（ステップ42）、合計端数玉数のうち２５個単位分のみ投出を許可し、残りを未払い玉数として再記憶し（ステップ43）、２５個単位で割り切れる分のパチンコ玉、および投出許可された２５個の端数玉分のパチンコ玉を遊技機11から投出させる（ステップ33）。
【０１１０】
遊技客が遊技機11で返却操作をしたカード返却時（ステップ44）、または一般カードの場合のみ残額がなくなった時点（ステップ45）で、未払い玉数として記憶されている端数玉分のパチンコ玉を投出手段30によって貯留部33に投出する（ステップ46）。このとき、情報表示部21で端数があることを表示させたり、投出表示部40で貯留部33に端数分のパチンコ玉を投出したことを表示する。
【０１１１】
この貸出単位毎投出制御の場合、遊技客は、貸出処理時毎に、貯留部33に投出された端数分のパチンコ玉を取り出す手間がかからず、取り忘れたためにパチンコ玉が貯留部33から溢れ出すことを防止でき、しかも、投出手段30の動作回数が減少するため、投出手段30の故障率を低減することができる。
【０１１２】
なお、カード返却時に、未払い玉として記憶されている端数分のパチンコ玉を投出せず、持ち玉としてコンソール50や会員システム51で管理し、景品交換などに使用してもよい。
【０１１３】
このように構成された遊技媒体貸出処理装置12では、パチンコ玉を投出する投出手段30とともに、投出されたパチンコ玉を貯留する貯留部33を備えるため、ノズル式遊技媒体貸出処理装置でなくても、遊技機11から投出処理できない数量分のパチンコ玉を投出することができる。
【０１１４】
また、投出するパチンコ玉のうち、遊技機11から投出可能な数量のパチンコ玉の投出を遊技機11に指示し、遊技機11から投出不可能な数量分のパチンコ玉を投出手段30によって投出させることにより、遊技客が遊技機11から投出不可能な数量分のパチンコ玉を受け取ることができる。
【０１１５】
また、パチンコ玉の投出処理時に、投出するパチンコ玉のうち、遊技機11から投出可能な単位数に満たない数量分を記憶手段58で蓄積記憶し、複数回の投出処理によって記憶手段58に蓄積された数量が遊技機11から投出可能な単位数に達したことを条件に、パチンコ玉の投出を遊技機11に指示することにより、貯留部33にパチンコ玉を投出する回数を少なくできる。そして、切替手段により、記憶手段58によるパチンコ玉の数量の蓄積を行うか否かを切り替えることができる。
【０１１６】
また、パチンコ玉の投出処理時に、遊技機11から投出処理できない数量分であることを報知手段25で報知することにより、貯留部33に投出されたパチンコ玉の取り忘れを防止できる。
【０１１７】
（第２の実施の形態）
次に、本発明の第２の実施の形態を、図８ないし図１０を参照して説明する。なお、第１の実施の形態と同じ構成および作用効果については同一符号を用いてその説明を省略する。
【０１１８】
図８ないし図１０には、各台計数機である遊技媒体計数装置60を備えた遊技媒体貸出処理装置12bを示している。
【０１１９】
遊技媒体計数装置60は、収容部24に収容される本体ユニット61、この本体ユニット61内に配置される投出手段30および計数手段62、本体ユニット61の前部に設けられた各台計数機ユニット63を備えている。
【０１２０】
計数手段62は、各台計数機ユニット63からパチンコ玉を受け入れる計数通路64を備えている。計数通路64は、前部が各台計数機ユニット63に接続され、後部が遊技島10に設けられたパチンコ玉の回収機構にパチンコ玉を放出する放出筒65に接続され、前部から後部へ向けて下降する傾斜によってパチンコ玉を１列整列状態で後方へ送るように構成されている。計数通路64には、計数通路64を通過するパチンコ玉を計数する計数センサ66が配設されている。放出筒65は、回収機構へのパチンコ玉の放出方向を分散させるべく、弾性を有した線状体（バネ）で形成される。
【０１２１】
各台計数機ユニット63は、本体ユニット61の前面に取り付けられた前面部67、およびこの前面部67に接続部68を介して接続された各台計数機本体69を有している。この各台計数機本体69には、上方に開口する受皿状の玉受部70が着脱可能に取り付けられているとともに、貯留部33が形成されている。
【０１２２】
玉受部70は、遊技機11の下受皿の下方に配置され、下受皿から下方へ排出されるパチンコ玉を受け入れ可能とする。この玉受部70は接続部68内を通じて計数通路64の前部に接続され、玉受部70に受け入れたパチンコ玉が計数通路64に流出するように構成されている。
【０１２３】
貯留部33は、各台計数機本体69の手前側に一体に形成された上方に開口する貯留皿であり、投出通路35から送り込まれるパチンコ玉を受け入れて貯留するとともに、遊技客によるパチンコ玉の取り出しを可能とする。
【０１２４】
また、制御手段57は、計数センサ66によって検知されるパチンコ玉を計数する計数制御部の機能を有している。
【０１２５】
次に、遊技媒体計数装置60での計数時の処理について説明する。
【０１２６】
プレイ終了時に、遊技機11でパチンコ玉を獲得した状態にあれば、遊技客が遊技機11から各台計数機ユニット63の玉受部70にパチンコ玉を放出操作する。これにより、玉受部70に放出されたパチンコ玉が、本体ユニット61の計数通路64に流出し、計数センサ66によって計数するとともに、放出筒65を通じて回収機構へ回収する。パチンコ玉の計数値は、情報表示部21に表示されるとともに、内部の記憶部（図示せず）に記憶される。この記憶された玉数を持ち玉と呼ぶこともある。
【０１２７】
計数完了後、遊技客が遊技機11の返却ボタンを押すことにより、遊技客から受け付けたカードまたは遊技媒体貸出処理装置12が内蔵するカードに対応して、上記した記憶部に記憶される計数値情報を付加するようにコンソール50や会員システム51の管理情報を更新し、カードを返却する。
【０１２８】
遊技客は、返却されたカードを他の遊技機11の遊技媒体貸出処理装置12に挿入してパチンコ玉の貸し出しを受けてプレイしたり、店内の精算機53にて精算することができる。
【０１２９】
会員カードの場合のみ、上述したように、返却時に計数したパチンコ玉の計数値を会員システム51で貯玉残高として管理し、次回のプレイ時に貯玉残高のパチンコ玉を投出して再プレイを行うことができる。
【０１３０】
なお、前述した第１の実施の形態と同様の制御によって、貸出時あるいは貯玉の再プレイ時において生じた遊技機11から投出できない端数分のパチンコ玉は貯留部33に投出される。また、この貯留部33に投出されたパチンコ玉あるいは遊技機11から賞として投出された玉を各台計数機ユニット63の玉受部70に投入して計数させることにより、持ち玉とすることができるが、この持ち玉についても、遊技媒体貸出処理装置12にて持ち玉再プレイ操作を受け付ければ、貯玉の場合と同様の制御により、遊技機11から投出できない端数分のパチンコ玉は貯留部33に投出される。
【０１３１】
このように構成された遊技媒体貸出処理装置12では、パチンコ玉を投出する投出手段30とともに、投出されたパチンコ玉を貯留する貯留部33を備えるため、ノズル式遊技媒体貸出処理装置でなくても、遊技機11から投出処理できない数量分のパチンコ玉を投出することができる。
【０１３２】
また、遊技媒体計数装置60に付設した貯留部33を、貸出時に遊技機11から投出できない端数を貯留する貯留部33、および再プレイ時に生じる端数を貯留する貯留部33として共用することができるため、合理的な運用が可能である。
【０１３３】
（第３の実施の形態）
次に、本発明の第３の実施の形態について説明する。なお、各実施の形態と同じ構成および作用効果については同一符号を用いてその説明を省略する。
【０１３４】
図１には遊技媒体投出装置17を備えた遊技媒体貸出処理装置12aを示し、図８には遊技媒体計数装置60を備えた遊技媒体貸出処理装置12bを示し、これら遊技媒体貸出処理装置12a，12bは、遊技媒体投出装置17および遊技媒体計数装置60以外が共通に構成されている。
【０１３５】
装置本体16の収容部24は、遊技媒体投出装置17の本体ユニット29と遊技媒体計数装置60の本体ユニット61とを付け替えることが可能な共通構造に設けられている。
【０１３６】
本実施の形態では、遊技媒体投出装置17の本体ユニット29と、遊技媒体計数装置60の本体ユニット61とを略同一の大きさ（収容部24に収容される大きさ）に構成されているため、どちらの本体ユニット29，61も収容部24に収容することが可能になっている。
【０１３７】
さらに、遊技媒体投出装置17の本体ユニット29と、遊技媒体計数装置60の本体ユニット61とを共通のコネクタ（枠体15に設けられる接続部）にて、制御部と通信可能に構成したため、どちらの本体ユニット29，61も接続することが可能になっている。
【０１３８】
また、図示していないが、遊技媒体投出装置17も遊技媒体計数装置60も用いない運用（端数投出非対応運用）をする場合には、前面をパネルのみで構成した電源ユニット（図示せず）を収容部24に収容して運用することができる。この電源ユニットについても本体ユニット29および本体ユニット61と略同一の大きさで構成し、共通のコネクタにて制御部と接続可能になっている。
【０１３９】
したがって、共通の収容部24を備えた装置本体16に対して、本体ユニット29および受皿ユニット31を含めた遊技媒体投出装置17と、本体ユニット61および各台計数機ユニット63を含めた遊技媒体計数装置60、あるいは両者を有しない電源ユニットとを付け替えて運用することができる。
【０１４０】
このように構成したため、店舗の運用として、各台計数機（遊技媒体計数装置60）を用いる運用（玉箱を用いない運用）と、各台計数機（遊技媒体計数装置60）を用いない運用（玉箱を用いる運用）とを選択したり、容易に切り換えたりすることが可能になる。
【０１４１】
（第４の実施の形態）
次に、本発明の第４の実施の形態を、図１１ないし図１５を参照して説明する。なお、各実施の形態と同じ構成および作用効果については同一符号を用いてその説明を省略する。
【０１４２】
図１１には遊技媒体投出装置17を備えた遊技媒体貸出処理装置12aを示し、図１２には遊技媒体計数装置60を備えた遊技媒体貸出処理装置12bを示している。これら遊技媒体投出装置17および遊技媒体計数装置60は、遊技媒体計数装置60用の本体ユニット61を共用し、この本体ユニット61に対して受皿ユニット31と各台計数機ユニット63とを付け替えることによって構成されている。すなわち、収容部24に遊技媒体計数装置60用の本体ユニット61を収納した装置本体16を共用し、この装置本体16（本体ユニット61）に受皿ユニット31と各台計数機ユニット63とを付け替えて運用することが可能となっている。
【０１４３】
図１３に示すように、本体ユニット61の前面には、上から、投出表示部40の表示光源となるＬＥＤ80、受皿ユニット31と各台計数機ユニット63とのいずれが装着されているかを検知する検知手段81、投出通路35の出口および計数通路64の入口などが配置されている。さらに、受皿ユニット31および各台計数機ユニット63を取り付けるための本体側取付部82が設けられている。
【０１４４】
図１４に示すように、本体ユニット61の前面に取り付けられる受皿ユニット31の前面部32の背面には、上から、ＬＥＤ80の点灯時の光が透過する光透過部83、投出通路35の出口に連通してパチンコ玉を貯留部33の投出口33aに導く受入通路部84、計数通路64の入口を閉塞する閉塞部85が設けられている。さらに、前面部32の背面には固定板86が取り付けられており、この固定板86には、本体側取付部82に取り付けられるユニット側取付部87が設けられているとともに、投出通路35の出口に連通してパチンコ玉を受け入れる受入口88が設けられている。
【０１４５】
図１５に示すように、本体ユニット61の前面に取り付けられる各台計数機ユニット63の前面部67の背面には、上から、ＬＥＤ80の点灯時の光が透過する光透過部83、投出通路35の出口に連通してパチンコ玉を貯留部33の投出口33aに導く受入通路部84、計数通路64の入口に連通して玉受部70から流出するパチンコ玉を計数通路64に導く受渡通路部89が設けられている。さらに、前面部67の背面には固定板86が取り付けられており、この固定板86には、本体側取付部82に取り付けられるユニット側取付部87が設けられているとともに、投出通路35の出口に連通してパチンコ玉を受け入れる受入口88が設けられている。
【０１４６】
また、図１１および図１２に示すように、本体ユニット61には、計数通路64の入口を開閉するシャッタ90、およびこのシャッタ90を開閉するソレノイド91が配設されている。
【０１４７】
そして、制御手段57は、検知手段81による検知に基づき、本体ユニット61に各台計数機ユニット63が装着されている場合には計数制御部による計数機能を有効とし、本体ユニット61に受皿ユニット31が装着されている場合には計数制御部による計数機能を無効とする機能を有している。
【０１４８】
図１２に示すように、検知手段81の検知に基づいて本体ユニット61に各台計数機ユニット63が装着されている場合には、計数機能を有効とし、シャッタ90を開放する。これにより、玉受部70に受け入れたパチンコ玉が受渡通路部89から本体ユニット61内の計数通路64に流出し、パチンコ玉の計数および回収が行われる。また、本体ユニット61内の投出通路35から投出されるパチンコ玉は、受入通路部84に受け入れて貯留部33に投出される。
【０１４９】
また、図１１に示すように、検知手段81の検知に基づいて本体ユニット61に受皿ユニット31が装着されている場合には、計数機能を無効とし、シャッタ90を閉鎖する。これにより、本体ユニット61内の計数通路64にパチンコ玉が流れることはない。また、本体ユニット61内の投出通路35から投出されるパチンコ玉は、受入通路部84に受け入れて貯留部33に投出される。また、図１１の例では、放出筒65を付設したままの例を示したが、受皿ユニット31が装着されている場合には、放出筒65は取外されていてもよい。
【０１５０】
このように、遊技媒体計数装置60の場合には計数機能を有効とし、遊技媒体投出装置17の場合には計数機能を無効とすることにより、遊技媒体計数装置60と遊技媒体投出装置17とのいずれでも運用できる。
【０１５１】
そして、本体ユニット61に対して受皿ユニット31と各台計数機ユニット63とを付け替えるとともに計数機能の有効／無効を切り換えるだけで、容易に仕様を切り換えることができる。そのため、店舗の運用として、各台計数機（遊技媒体計数装置60）を用いる運用（玉箱を用いない運用）と、各台計数機（遊技媒体計数装置60）を用いない運用（玉箱を用いる運用）とを、運用途中でも容易に切り換えることができる。
【０１５２】
また、検知手段81で本体ユニット61に受皿ユニット31が取り付けられていることを検知している場合、シャッタ90で計数通路64の入口を閉鎖することで、機構的にも計数機能を無効にできる。なお、各台計数機ユニット63の場合にはシャッタ90の開閉動作を行うオン設定、受皿ユニット31の場合にはシャッタ90が常時閉鎖状態となるオフ設定となるように、シャッタ90の開閉状態を切り換えるオンオフ設定手段を設けてもよい。また、受皿ユニット31が取り付けられていることを検知した場合、計数機能を無効にする前に計数通路の玉の残留の有無を検知し、残留があれば報知を行う構成としてもよい。
【０１５３】
（第５の実施の形態）
次に、図１６に第５の実施の形態を示す。なお、各実施の形態と同じ構成および作用効果については同一符号を用いてその説明を省略する。
【０１５４】
遊技媒体投出装置17は、投出手段30によって投出されるパチンコ玉を遊技媒体投出装置17の前面から投出する投出部95（小型のノズル）を備えている。投出部95は、前述した受皿ユニット31や各台計数機ユニット63と同様、遊技機11の扉との干渉を避けるために、遊技媒体貸出処理装置12の最下部からの高さが概ね７０ｍｍ以下となるように構成されている。この場合、投出手段30から投出されるパチンコ玉を受け入れる貯留部として玉箱42やカップなどを利用することができる。
【０１５５】
（第６の実施の形態）
次に、第６の実施の形態を、図１７ないし図２２を参照して説明する。なお、各実施の形態と同じ構成および作用効果については同一符号を用いてその説明を省略する。
【０１５６】
図１７に示すように、遊技媒体投出装置17は、投出手段30によって投出されるパチンコ玉を遊技媒体投出装置17の前面から投出する投出ユニット100を備え、この投出ユニット100が貯留部33を備えている。投出ユニット100は、遊技媒体貸出処理装置12の横幅以下の幅寸法に構成されているとともに、前述した受皿ユニット31や各台計数機ユニット63あるいは投出部95と同様、遊技機11の扉との干渉を避けるために、遊技媒体貸出処理装置12の最下部からの高さが概ね７０ｍｍ以下となるように構成されている。
【０１５７】
図１８に示すように、投出ユニット100は、本体ユニット29の前面に取り付けられる固定板86、固定板86に取り付けられる前面部32および通路部材101、通路部材101に取り付けられる保留部材102を備えている。
【０１５８】
固定板86の受入口88の上部には固定板86の一部が折曲されたガイド片104が配置され、受入口88の下部には固定板86に取り付けられたガイド板105が配置されている。これらガイド片104およびガイド板105はパチンコ玉を前方へ送るように前方へ向けて下降傾斜されている。
【０１５９】
図１８ないし図２２に示すように、通路部材101には、固定板86の受入口88を通じて投出通路35の出口に連通し、投出手段30によって投出されたパチンコ玉（図２０ないし図２２に符号Ｐで示す）を受け入れて保留可能とする保留通路107が形成されている。保留通路107は、パチンコ玉が載る底部108、および底部108の両側から立設されてパチンコ玉の側部を案内する両側の側壁部109を備え、貯留部33を構成している。底部108は、パチンコ玉を前方へ送るように前方へ向けて下降傾斜されている。両側の側壁部109間の間隔は、横方向に２個のパチンコ玉が並ばない寸法とされており、図２２に示すように、保留通路107の上流側（後側）は投出通路35から受け入れるパチンコ玉を１列整列状態で前方へ送る第１の通路部110aが形成され、保留通路107の下流側（前側）にはパチンコ玉の一部が前後に重なり合う状態でパチンコ玉が横方向に２列に配列されるように通路幅が拡大された第２の通路部110bが形成されている。第２の通路部110bの底部108には、２列に配列されるパチンコ玉が各列毎に落ち込む２列の溝部111が形成されている。溝部111の下面は、前端部を除いて下方へ開口されており、パチンコ玉に混ざって入り込んだごみ等が下方へ落下して排出されるよう、異物排除部として構成されている。また、両側の側壁部109上で前後方向の中間位置には、保留部材102を軸112によって上下方向に揺動可能に取り付けるための取付片113が突設されている。
【０１６０】
保留部材102は、半透明あるいは透明な樹脂材料によって前後方向に貫通開口する筒状に形成されており、後側開口から内側に通路部材101の前端側が挿入配置され、保留部材102の上面部が保留通路107の上方に配置されて保留通路107の上面側を覆っている。保留部材102の前端と通路部材101の底部108の前端との間に、保留通路107から前方へパチンコ玉を投出可能とする保留通路107の出口部115が形成されている。
【０１６１】
保留部材102の後側上縁部には、通路部材101の取付片113に軸112によって取り付けられる連結部116が突設されている。そして、保留部材102は、通路部材101に対し、出口部115からパチンコ玉を投出可能とする上方の開放位置と、出口部115からのパチンコ玉の投出を規制する下方の保留位置との間で、軸112を中心として上下方向に揺動可能に構成されている。また、保留部材102の後側下縁部には、通路部材101の前面に当接して保留部材102の下方への揺動を保留位置で規制する規制部117が突設されている。なお、保留部材102が保留位置に位置する状態では、保留部材102の上面部と通路部材101の底部108との間を通じてパチンコ玉が保留通路107の前方へ移動するのが可能となっている。
【０１６２】
保留部材102の前側上縁部には、保留部材102が保留位置に位置する状態で出口部115の上下方向の幅をパチンコ玉の直径より小さくしてパチンコ玉が保留通路107から投出されるのを規制するストッパ部118が形成されているとともに、一方の溝部111に対向する位置にパチンコ玉との当接によってパチンコ玉を他方の溝部111側に導くガイド突部119が突設されている。
【０１６３】
保留部材102の下面には開口部120が形成され、この開口部120を覆うように蓋体121が取り付けられている。蓋体121には通路部材101との間に引張ばね122が張設され、この引張ばね122により保留部材102を保留位置へ向けて付勢している。
【０１６４】
また、図１７および図１８に示すように、前面部32の下部には、保留通路107や、通路部材101と保留部材102との連結部分を覆うカバー部124が形成されている。前面部32の上部の投出表示部40には表示光源の光が透過するレンズ125が配置されている。
【０１６５】
また、貯留部33は、投出ユニット100の保留通路107および投出通路35の投出手段30（具体的にはカウントホイール37）より下流域で構成されており、第２の通路部110bには２列でパチンコ玉を保留し、第１の通路部110aおよび投出通路35には１列でパチンコ玉を保留する。この貯留部33に１回に保留可能とするパチンコ玉の最大保留数は、遊技機11から貸出可能な２５個単位に満たない端数の最大個数である２４の半分の１２個としている。これにより、遊技客による最大でも２回の取出作で投出ユニット100から端数分のパチンコ玉を取り出すことができるように構成されている。図示していないが、貯留部33の上流部分（カウントホイール37の下流部分）には、貯留部33の上流端部にパチンコ玉が存在するか否かによって、貯留部33が満杯になっているか否かを検出する満杯検出手段が設けられている。この満杯検知手段は、センサ39とは別のセンサとして設けられても良いし、センサ39がこの機能を兼備していてもよい。
【０１６６】
そして、遊技機11から貸出可能な２５個単位に満たない端数分のパチンコ玉を、遊技媒体貸出処理装置12の投出手段30で投出する。遊技媒体貸出処理装置12の投出手段30は、上述の満杯検知手段が満杯を検知するまでパチンコ玉の投出を継続して停止する。
【０１６７】
投出手段30によって投出されたパチンコ玉は投出通路35から投出ユニット100の保留通路107に入る。図２０に示すように、１個目のパチンコ玉は、底部108の傾斜によって第１の通路部110aから第２の通路部110bへ真っ直ぐに送られ、第２の通路部110bにおいてガイド突部119との当接によって右側の溝部111に落ち込み、ストッパ部118に当接して保留される。このとき、保留部材102は、引張ばね122による付勢によって保留位置に保持されており、出口部115の上下方向の幅をパチンコ玉の直径より小さくし、ストッパ部118にパチンコ玉が当たるとともに当たったパチンコ玉を保留可能となっている。
【０１６８】
図２１に示すように、２個目のパチンコ玉は、底部108の傾斜によって第１の通路部110aから第２の通路部110bへ真っ直ぐに送られ、保留済みのパチンコ玉との当接によって左側の溝部111に導かれて落ち込み、保留済みのパチンコ玉あるいはガイド突部119に当接して保留される。
【０１６９】
図２２に示すように、その後も、第１の通路部110aから第２の通路部110bに入るパチンコ玉は、左右の溝部111に交互に導かれて幅方向に２列に保留される。この２列に保留されるパチンコ玉は溝部111に落ちこむことにより整列状態が保持されている。さらに、後続のパチンコ玉は、先行のパチンコ玉との当接によって第１の通路部110aおよび投出通路35の投出手段30より下流域に１列状態で保留される。
【０１７０】
保留通路107に保留されていくパチンコ玉の状態は、半透明あるいは透明な保留部材102を通じて遊技客が視認することができる。
【０１７１】
また、端数分のパチンコ玉の数が最大保留数より少ない場合に端数分のパチンコ玉を投出手段30で投出完了すると、あるいは、端数分のパチンコ玉の数が最大保留数より多いために２回に分けて投出する場合に１回目の投出分のパチンコ玉を投出手段30で投出完了すると、投出手段30による投出を停止し、投出表示部40を点灯または点滅表示する。
【０１７２】
投出表示部40の表示を確認した遊技客は、保留位置にある保留部材102を引張ばね122の付勢に抗して開放位置に押し上げる。これにより、通路部材101と保留部材102との間の出口部115が開放され、保留されていた全てのパチンコ玉が出口部115から流出する。出口部115から流出するパチンコ玉は、手の平で受け取ってもよいし、玉箱42等に受け取ってもよい。
【０１７３】
投出ユニット100からのパチンコ玉の取り出しが行われると、上述の満杯検出手段が満杯を検知しない状態になる。そして、満杯を検知しない状態になってから所定時間（例えば０．５秒）を経過すると、端数分のパチンコ玉の残りを投出手段30で投出する処理が行われる。この投出処理は１回目の投出と同様の処理にて行われる。このパチンコ玉の取り出しを検知する処理は、保留通路107等の通路内の他の箇所に設けられたセンサで通路内にパチンコ玉がなくなったことを検知するか、保留部材102が開放位置から保留位置に戻ったことを図示しないセンサで検知するか、それら両方を検知することによってもよい。また、端数分のパチンコ玉の残りを投出手段30で投出すると、上述したように、パチンコ玉を保留し、保留完了後に投出表示部40で表示し、遊技客がパチンコ玉を取り出す。
【０１７４】
なお、端数分のパチンコ玉の数が最大保留数より多いために２回に分けて投出する場合、１回目に最大保留数分を投出し、２回目に残りを投出してもよいが、２回に半分ずつに分けて投出してもよい。
【０１７５】
このように投出ユニット100を用いた場合、受皿ユニット31の場合に比べて、幅寸法を遊技媒体貸出処理装置12の幅寸法以下に小さくできるため、玉箱42の操作時に投出ユニット100が邪魔になりにくく、玉箱42が投出ユニット100に当たりにくくできる。
【０１７６】
また、投出ユニット100の幅が小さく、保留部材102を押し上げることでパチンコ玉を取り出せるため、操作する手が遊技機11のヒンジ43に当たりにくく、操作しやすくできる。
【０１７７】
また、図４に示すように、受皿ユニット31と灰皿45とが近傍に配置されることから、受皿ユニット31を灰皿45と間違える可能性があるが、投出ユニット100を用いることにより間違いをなくすことができる。
【０１７８】
また、投出ユニット100の貯留部33には端数の最大数分のパチンコ玉を１回では保留できないが、通路部材101の第２の通路部110bを幅方向に２列で保留できるように構成することで、保留可能数を増やし、遊技客による取出動作を少ない回数で行えるようにすることができる。
【０１７９】
また、上述の第１ないし第６の実施の形態で図示した各構成は例示的なものであり、必ずしも図示の構成をされていることを要しない。すなわち、特許請求の範囲と均等の範囲で任意に変更して構成することができる。
【符号の説明】
【０１８０】
11    遊技機
12    遊技媒体投出処理装置および遊技媒体投出処理手段としての遊技媒体貸出処理装置
17    遊技媒体投出装置
24    収容部
25    報知手段
30    投出手段
33    貯留部
57    計数制御部を有する制御手段
58    記憶手段
60    遊技媒体計数装置
111   異物排除部としての溝部
【図１】
2014138722.tif 000003
【図２】
2014138722.tif 000004
【図３】
2014138722.tif 000005
【図４】
2014138722.tif 000006
【図５】
2014138722.tif 000007
【図６】
2014138722.tif 000008
【図７】
2014138722.tif 000009
【図８】
2014138722.tif 000010
【図９】
2014138722.tif 000011
【図１０】
2014138722.tif 000012
【図１１】
2014138722.tif 000013
【図１２】
2014138722.tif 000014
【図１３】
2014138722.tif 000015
【図１４】
2014138722.tif 000016
【図１５】
2014138722.tif 000017
【図１６】
2014138722.tif 000018
【図１７】
2014138722.tif 000019
【図１８】
2014138722.tif 000020
【図１９】
2014138722.tif 000021
【図２０】
2014138722.tif 000022
【図２１】
2014138722.tif 000023
【図２２】
2014138722.tif 000024